(57)【要約】【課題】本発明は、成体クラゲを殺すための方法を提供することを目的とする。【解決手段】微小物質と、高分子ゲル化剤とを、空気を注入しながら混合して乳化させた乳化物を作製し、その乳化物を水中に注入すると、乳化物が浮上すると共に、目的の微小物質も浮上する。ここで、クラゲ分解微小物質に上記微小物質浮上方法を適用することにより、水中でクラゲ分解微小物質を浮上させるクラゲ分解微小物質浮上方法とすることができる。上記方法を用い、成体クラゲの下方からクラゲ分解微小物質を浮上させたりすることにより、成体クラゲを殺すことができる。【選択図】図１
2005289908.tif 000002
【特許請求の範囲】
【請求項１】
クラゲ分解微小物質と、高分子ゲル化剤を、空気を注入しながら混合し乳化させた成体クラゲを殺すための薬剤。
【請求項２】
前記クラゲ微小物質がクラゲ分解酵素であることを特徴とする請求項１に記載の成体クラゲを殺すための薬剤。
【請求項３】
前記クラゲ微小物質がクラゲ分解酵素を分泌する酵素生成菌であることを特徴とする請求項１に記載の成体クラゲを殺すための薬剤。
【請求項４】
前記空気を注入する代わりに、油脂を添加することを特徴とする請求項１〜３のいずれかに記載の成体クラゲを殺すための薬剤。
【請求項５】
前記クラゲ分解酵素が、タンパク質を分解することができるプロテアーゼ(protease)であることを特徴とする請求項２又は３に記載の成体クラゲを殺すための薬剤。
【請求項６】
前記プロテアーゼが、コラーゲンを分解することができるコラゲナーゼ(collagenase)であることを特徴とする請求項５に記載の成体クラゲを殺すための薬剤。
【請求項７】
成体クラゲを殺すための方法であって、
請求項１〜６のいずれかに記載の成体クラゲを殺すための薬剤を、成体クラゲの下方より投与することを特徴とする方法。
【発明の詳細な説明】
【技術分野】
【０００１】
本発明は、成体クラゲを殺すための薬剤と成体クラゲを殺すための方法に関する。
【背景技術】
【０００２】
夏季になると日本近海には大量のクラゲが発生し、発電所等のプラント施設に潮流にのって押し寄せ、冷却水の取水口から取り込まれると、フィルタを目詰まりさせる等の多くの弊害をもたらす。
【０００３】
これらのクラゲを除去するため、発電所等では回転式除塵機等を使用して取水路の途中で成体クラゲを捕獲・回収し、捕獲回収したクラゲを分解処理している。（例えば、特許文献１及び２参照）。
【特許文献１】特開平１１-１７９３２７号公報
【特許文献２】特開平１１-２４４８３３号公報
【発明の開示】
【発明が解決しようとする課題】
【０００４】
しかしながら、成体クラゲを殺すのに、従来方法では、大規模な機械や設備を必要とする。
【０００５】
そこで、本発明は、成体クラゲを殺すための薬剤と成体クラゲを殺すための方法を提供することを目的としてなされた。
【課題を解決するための手段】
【０００６】
上記課題を解決すべく、本発明に係る成体クラゲを殺すための薬剤は、前記クラゲ分解微小物質と、高分子ゲル化剤を、空気を注入しながら混合し乳化させ作製する。前記クラゲ微小物質がクラゲ分解酵素であってもよいし、クラゲ分解酵素を分泌する酵素生成菌であってもよい。また、前記空気を注入する代わりに、油脂を添加してもよい。さらに、前記クラゲ分解酵素が、タンパク質を分解することができるプロテアーゼ(protease)であってもよいし、前記プロテアーゼが、コラーゲンを分解することができるコラゲナーゼ(collagenase)であってもよい。
【０００７】
そして、本発明に係る成体クラゲを殺すための方法であって、前記クラゲポリプ駆除剤を、成体クラゲの下方より投与することを特徴とする。
【発明の効果】
【０００８】
本発明により、成体クラゲを殺すための薬剤と成体クラゲを殺すための方法を提供することができる。
【発明を実施するための最良の形態】
【０００９】
以下、本発明の実施の形態を、実施例を挙げながら詳細に説明する。
【００１０】
以下、上記知見に基づき完成した本発明の実施の形態を、実施例を挙げながら詳細に説明する。実施の形態及び実施例に特に説明がない場合には、J. Sambrook, E. F. Fritsch & T. Maniatis (Ed.), Molecular cloning, a laboratory manual (3rd edition), Cold Spring Harbor Press, Cold Spring Harbor, New York (2001); F. M. Ausubel, R. Brent, R. E. Kingston, D. D. Moore, J.G. Seidman, J. A. Smith, K. Struhl (Ed.), Current Protocols in Molecular Biology, John Wiley & Sons Ltd.などの標準的なプロトコール集に記載の方法、あるいはそれを修飾したり、改変した方法を用いる。また、市販の試薬キットや測定装置を用いている場合には、特に説明が無い場合、それらに添付のプロトコールを用いる。
【００１１】
なお、本発明の目的、特徴、利点、及びそのアイデアは、本明細書の記載により、当業者には明らかであり、本明細書の記載から、当業者であれば、容易に本発明を再現できる。以下に記載された発明の実施の形態及び具体的に実施例などは、本発明の好ましい実施態様を示すものであり、例示又は説明のために示されているのであって、本発明をそれらに限定するものではない。本明細書で開示されている本発明の意図並びに範囲内で、本明細書の記載に基づき、様々な改変並びに修飾ができることは、当業者にとって明らかである。
【００１２】
まず、成体クラゲを殺すための薬剤を水中にて浮上させるために必要な微小物質浮上方法及びクラゲ分解微小物質浮上方法を以下に述べる。
【００１３】
＝＝＝微小物質浮上方法＝＝＝
微小物質浮上方法は、微小物質（例えば、化学分子、化合物、細胞、ウイルス、細菌類や藍藻類などの原核生物や微小な真核生物等の微生物など）と、高分子ゲル化剤とを、空気を注入しながら混合して乳化させた乳化物を作製し、その乳化物を海水又は淡水中に注入すると、乳化物が浮上すると共に、目的の微小物質も浮上する、というものである。ここでは、微小物質をゲル化剤と共に混合しゲル化することにより、微小物質を水中で拡散しにくくし、その水中での流動を制御することができるようになる。また、乳化物に海水又は淡水中で浮上させることができる量の空気を注入することにより、乳化物に水中で浮上するための浮力を加えることができる。なお、空気の代わりに油脂を用い、油脂と共に微小物質と高分子ゲル化剤を混ぜた混合物を水中で浮上させることができるようにしてもよい。
【００１４】
＝＝＝クラゲ分解微小物質浮上方法＝＝＝
クラゲ分解微小物質浮上方法は、クラゲ分解微小物質に上記微小物質浮上方法を適用し、海水又は淡水中で、クラゲ分解微小物質を浮上させる方法である。
【００１５】
クラゲ分解微小物質は、クラゲを分解することのできる微小物質であれば何でも良く、例えばクラゲ分解酵素、クラゲ分解酵素が入った微小カプセル、クラゲ分解酵素を分泌する微生物などが考えられる。
【００１６】
クラゲ分解酵素は、セリンプロテアーゼであるトリプシン、キモトリプシン、ズブチリシン、システインプロテアーゼであるパパイン、ブロメライン、カスパーゼ群、カテプシン群、アスパルチックプロテアーゼであるペプシン、カテプシンＤ、コラゲナーゼ、蛇毒金属プロテアーゼ群、カルボキシペプチダーゼ群、アミノペプチダーゼ群等、タンパク質を分解することができるプロテアーゼが好ましく、クラゲはほとんどコラーゲンから成るので、コラゲナーゼが特に好ましいが、クラゲを分解できる酵素であればプロテアーゼに限らない。
【００１７】
クラゲ分解微小物質として、クラゲ分解酵素を分泌する酵素生成菌を用いてもよい。酵素生成菌は、コラゲナーゼを分泌する海洋性Vibrio属細菌又はBacillus属細菌などの天然に存在する細菌を用いてもよい。また、例えば、適切なエンハンサー／プロモーターをもつ発現ベクターにプロテアーゼをコードする遺伝子を挿入して組換えベクターを作製し、形質転換などによって、大腸菌にその組換えベクターを導入し、プロテアーゼを分泌するようにした大腸菌のような、人工的な細菌を用いてもよい。
【００１８】
＝＝＝成体クラゲを殺す方法＝＝＝
次に、微小物質浮上方法及びクラゲ分解微小物質浮上方法を用いて成体クラゲを殺す方法を以下に述べる。
【００１９】
クラゲを分解することができるクラゲ分解微小物質を成体クラゲの下方から浮上させることにより、クラゲを分解し、成体クラゲを殺すことができる。
【００２０】
まず、クラゲ分解微小物質と、高分子ゲル化剤を、空気を注入しながら混合することで乳化させ、成体クラゲを殺すための薬剤を生成する。図１に示すように、成体クラゲの下方から、この成体クラゲを殺すための薬剤１を注入することにより、成体クラゲを殺すための薬剤が浮上して、成体クラゲに接触し、内容物が拡散する。このようにして、クラゲ分解微小物質を成体クラゲに作用させ、成体クラゲを殺すことができる。
【００２１】
成体クラゲが密集していると、一度の散布で多くの成体クラゲを駆除することができ、効果的である。例えば、成体クラゲを網などで捕集して一カ所に隔離したり、大量の成体クラゲが発生している場所を特定したりした後、そのような密集した成体クラゲの下方より成体クラゲを殺すための薬剤を散布することにより、一気に成体クラゲを殺すことができる。
【００２２】
以下に記載する発明の具体的な実施例は、本発明の好ましい実施態様を示すものであり、本発明を制限することを意図するものではない
【実施例】
【００２３】
本実施例では、空気を注入しながら高分子ゲル化剤を混合することにより乳化させた乳化物を生成して、水中に散布すると、乳化物が浮上し、内容物が拡散することを確認するために、以下の実験を行った。図２に実験系の概略図を示す。
【００２４】
まず、高分子ゲル化剤（イゲタゲル-FS(住友化学工業(株))、2.4g/L）を、空気を注入しながら混合することで乳化させ、乳化物を生成した。この際、乳化物の水中での動きを確認するため、サフラニンを約1%の濃度で添加することにより、乳化物を紅色に着色した。図３の右にフラスコに入った紅色乳化物２を示す。図３の左及び図４に示す様に、染色瓶の中に、プレパラート１０、プレパラート１０を支持するプレパラート支持体２０を入れ、図５に示す様にスポイト３０を用いて紅色乳化物２を水中で散布したところ、図６及び図７に示す様に紅色乳化物２はプレパラート１０の下面に浮上し、時間の経過と共に、図８に示す様に紅色乳化物２はプレパラート１０下部で拡散し、紅色も薄くなり白色になった。
【００２５】
このことは、乳化物を水中に散布すると、乳化物が浮上し、その内容物が拡散することを示している。従って、クラゲ分解微小物質を乳化物に含有させ、成体クラゲの下方に散布することにより、成体クラゲを殺すことができると考えられる。
【図面の簡単な説明】
【００２６】
【図１】図１は、本発明の一実施例における、成体クラゲを殺すための方法の概略図を示す図である。
【図２】図２は、本発明の一実施例における、実験系の概略図を示す図である。
【図３】図３は、図２における一実施例の実験系の写真であり、左が染色瓶、右が紅色乳化物の入ったフラスコである。
【図４】図４は、図３に図示されている染色瓶を上方から撮影した写真である。
【図５】図５は、紅色乳化物が水中にて浮上する様子を示した写真である。
【図６】図６は、浮上した紅色乳化物がプレパラートの下面にて停留している様子を示した写真である。
【図７】図７は、図６を上方より示した写真である。
【図８】図８は、図７における紅色乳化物が時間の経過と共に拡散した様子を示した写真である。
【符号の説明】
【００２７】
１    成体クラゲを殺すための薬剤
２    紅色乳化物
１０  プレパラート
２０  プレパラート支持体
３０  スポイト
【図１】
2005289908.tif 000003
【図２】
2005289908.tif 000004
【図３】
2005289908.tif 000005
【図４】
2005289908.tif 000006
【図５】
2005289908.tif 000007
【図６】
2005289908.tif 000008
【図７】
2005289908.tif 000009
【図８】
2005289908.tif 000010